(57)【特許請求の範囲】
【請求項１】
複数の発光素子を原稿の主走査方向に並べて配置した発光素子列と、
前記発光素子列からの光を入射させるための入射面と当該入射面に対向して配置されるとともに入射した当該光を出射させるための出射面とを備え、当該発光素子列から当該入射面へと入射した光を導き、当該出射面にて拡散させた当該光を前記原稿の読み取り位置に向けて出射する案内部と、
前記発光素子列から前記案内部を介して光が照射された前記読み取り位置からの反射光を受光する受光部と、
前記読み取り位置から前記受光部に向かう光路中に設けられ、当該読み取り位置からの反射光を前記受光部に結像させる結像部と、
前記受光部による前記原稿の前記読み取り位置を副走査方向に移動させる走査部とを含み、
前記出射面は、前記発光素子列を構成する前記複数の発光素子のうち前記主走査方向の一端に位置する一端側発光素子と対向する一端部から他端に位置する他端側発光素子と対向する他端部にわたって、当該発光素子列における当該複数の発光素子の配置間隔よりも短い間隔で形成された凹凸を有し、且つ、当該出射面において、当該主走査方向の中央部における凹凸の深さよりも当該一端部および当該他端部における凹凸の深さが小さいことを特徴とする画像読み取り装置。
【請求項２】
前記出射面において、前記主走査方向の中央部における凸部の間隔よりも前記一端部および前記他端部における凸部の間隔が大きいことを特徴とする請求項１記載の画像読み取り装置。
【請求項３】
前記出射面に形成される凹凸の前記主走査方向の両端位置が、前記発光素子列の当該主走査方向の両端位置よりも外側に配置されることを特徴とする請求項１または２記載の画像読み取り装置。
【請求項４】
前記出射面は、前記読み取り位置にある前記原稿よりも主走査方向の長さが大きく設定されるとともに当該出射面の主走査方向の両端位置が当該原稿の主走査方向の両端位置よりも外側に配置され、
前記入射面は、前記出射面よりも主走査方向の長さが小さく設定されるとともに当該入射面の主走査方向の両端位置が当該出射面の前記主走査方向の両端位置よりも内側に配置され、且つ、前記発光素子列よりも当該主走査方向の長さが大きく設定されるとともに当該発光素子列の当該主走査方向の両端位置が当該入射面の当該主走査方向の両端位置よりも内側に配置されること
を特徴とする請求項１乃至３のいずれか１項記載の画像読み取り装置。
【請求項５】
複数の発光素子を並べて配置した発光素子列と、
前記発光素子列に沿って当該発光素子列と対向するように形成され当該発光素子列からの光が入射する入射面と、当該入射面と対向するように形成され当該入射面を介して入射した光を出射する出射面とを有し、当該発光素子列から当該入射面へと入射した光を導き、当該出射面にて拡散させた当該光を外部に向けて出射する案内部とを含み、
前記出射面は、前記発光素子列を構成する前記複数の発光素子のうち当該複数の発光素子の配列方向の一端に位置する一端側発光素子と対向する一端部から他端に位置する他端側発光素子と対向する他端部にわたって、当該発光素子列における当該複数の発光素子の配置間隔よりも短い間隔で形成された凹凸を有し、且つ、当該出射面において、当該配列方向の中央部における凹凸の深さよりも当該一端部および当該他端部における凹凸の深さが小さいことを特徴とする線状光源装置。
【請求項６】
前記出射面において、前記配列方向の中央部における凸部の間隔よりも前記一端部および前記他端部における凸部の間隔が大きいことを特徴とする請求項５記載の線状光源装置。
【請求項７】
前記入射面は、前記発光素子列よりも前記配列方向の長さが大きく設定されるとともに、当該入射面における当該配列方向の両端が当該発光素子列の当該配列方向の両端よりも外側に配置され、
前記出射面は、前記入射面よりも前記配列方向の長さが大きく設定されるとともに、当該出射面における当該配列方向の両端が当該入射面における当該配列方向の両端よりも外側に配置されること
を特徴とする請求項５または６記載の線状光源装置。
【発明の詳細な説明】
【技術分野】
【０００１】
本発明は、画像読み取り装置および線状光源装置に関する。
【背景技術】
【０００２】
原稿の画像を読み取る画像読み取り装置において、原稿の一方の方向（主走査方向）に沿って設けられた光源によって原稿に光を照射し、照射された原稿から反射した反射光をイメージセンサにて受光する動作を、光の照射位置を原稿の主走査方向と交差する方向（副走査方向）に順次移動させながら繰り返すことで、原稿上の画像の読み取りを行うものが知られている。
公報記載の従来技術として、画像読み取り装置の光源として、主走査方向に複数の発光ダイオードを配列して構成したＬＥＤアレイを用いる技術が存在する（特許文献１、２参照）。
【先行技術文献】
【特許文献】
【０００３】
【特許文献１】特開２００８−１２９２１３号公報
【特許文献２】登録実用新案第３１３９７８７号公報
【発明の概要】
【発明が解決しようとする課題】
【０００４】
本発明は、複数の発光素子を並べて配置した光源を用いた場合の光量分布のばらつきを抑制することを目的とする。
【課題を解決するための手段】
【０００５】
請求項１記載の発明は、複数の発光素子を原稿の主走査方向に並べて配置した発光素子列と、前記発光素子列からの光を入射させるための入射面と当該入射面に対向して配置されるとともに入射した当該光を出射させるための出射面とを備え、当該発光素子列から当該入射面へと入射した光を導き、当該出射面にて拡散させた当該光を前記原稿の読み取り位置に向けて出射する案内部と、前記発光素子列から前記案内部を介して光が照射された前記読み取り位置からの反射光を受光する受光部と、前記読み取り位置から前記受光部に向かう光路中に設けられ、当該読み取り位置からの反射光を前記受光部に結像させる結像部と、前記受光部による前記原稿の前記読み取り位置を副走査方向に移動させる走査部とを含み、前記出射面は、前記発光素子列を構成する前記複数の発光素子のうち前記主走査方向の一端に位置する一端側発光素子と対向する一端部から他端に位置する他端側発光素子と対向する他端部にわたって、当該発光素子列における当該複数の発光素子の配置間隔よりも短い間隔で形成された凹凸を有し、且つ、当該出射面において、当該主走査方向の中央部における凹凸の深さよりも当該一端部および当該他端部における凹凸の深さが小さいことを特徴とする画像読み取り装置である。
【０００６】
請求項２記載の発明は、前記出射面において、前記主走査方向の中央部における凸部の間隔よりも前記一端部および前記他端部における凸部の間隔が大きいことを特徴とする請求項１記載の画像読み取り装置である。
請求項３記載の発明は、前記出射面に形成される凹凸の前記主走査方向の両端位置が、前記発光素子列の当該主走査方向の両端位置よりも外側に配置されることを特徴とする請求項１または２記載の画像読み取り装置である。
請求項４記載の発明は、前記出射面は、前記読み取り位置にある前記原稿よりも主走査方向の長さが大きく設定されるとともに当該出射面の主走査方向の両端位置が当該原稿の主走査方向の両端位置よりも外側に配置され、前記入射面は、前記出射面よりも主走査方向の長さが小さく設定されるとともに当該入射面の主走査方向の両端位置が当該出射面の前記主走査方向の両端位置よりも内側に配置され、且つ、前記発光素子列よりも当該主走査方向の長さが大きく設定されるとともに当該発光素子列の当該主走査方向の両端位置が当該入射面の当該主走査方向の両端位置よりも内側に配置されることを特徴とする請求項１乃至３のいずれか１項記載の画像読み取り装置である。
【０００７】
請求項５記載の発明は、複数の発光素子を並べて配置した発光素子列と、前記発光素子列に沿って当該発光素子列と対向するように形成され当該発光素子列からの光が入射する入射面と、当該入射面と対向するように形成され当該入射面を介して入射した光を出射する出射面とを有し、当該発光素子列から当該入射面へと入射した光を導き、当該出射面にて拡散させた当該光を外部に向けて出射する案内部とを含み、前記出射面は、前記発光素子列を構成する前記複数の発光素子のうち当該複数の発光素子の配列方向の一端に位置する一端側発光素子と対向する一端部から他端に位置する他端側発光素子と対向する他端部にわたって、当該発光素子列における当該複数の発光素子の配置間隔よりも短い間隔で形成された凹凸を有し、且つ、当該出射面において、当該配列方向の中央部における凹凸の深さよりも当該一端部および当該他端部における凹凸の深さが小さいことを特徴とする線状光源装置である。
請求項６記載の発明は、前記出射面において、前記配列方向の中央部における凸部の間隔よりも前記一端部および前記他端部における凸部の間隔が大きいことを特徴とする請求項５記載の線状光源装置である。
請求項７記載の発明は、前記入射面は、前記発光素子列よりも前記配列方向の長さが大きく設定されるとともに、当該入射面における当該配列方向の両端が当該発光素子列の当該配列方向の両端よりも外側に配置され、前記出射面は、前記入射面よりも前記配列方向の長さが大きく設定されるとともに、当該出射面における当該配列方向の両端が当該入射面における当該配列方向の両端よりも外側に配置されることを特徴とする請求項５または６記載の線状光源装置である。
【発明の効果】
【０００８】
請求項１記載の発明によれば、複数の発光素子を並べて配置した光源を用いた場合の光量分布のばらつきを抑制すること、より容易に光を拡散させて出射すること、および、受光部において主走査方向の端部側の光量が中央部側の光量よりも低下するのを抑制すること、ができる。
請求項２記載の発明によれば、受光部において主走査方向の端部側の光量が中央部側の光量よりも低下するのをさらに抑制することができる。
請求項３記載の発明によれば、本構成を有しない場合と比較して、受光部において主走査方向の端部側の光量が中央部側の光量よりも低下するのをより確実に抑制することができる。
請求項４記載の発明によれば、本構成を有しない場合と比較して、原稿の読み取りに必要な発光素子列の主走査方向長さを短くすることができる。
請求項５記載の発明によれば、複数の発光素子を並べて配置した光源を用いた場合の光量分布のばらつきを抑制することができる。
請求項６記載の発明によれば、受光部において主走査方向の端部側の光量が中央部側の光量よりも低下するのをさらに抑制することができる。
請求項７記載の発明によれば、原稿の読み取りに必要な発光素子列の主走査方向長さを短くすることができる。
【図面の簡単な説明】
【０００９】
【図１】本実施の形態が適用される読み取り装置の全体構成の一例を示す図である。
【図２】スキャナ装置における画像読み取り用の光路を説明するための図である。
【図３】スキャナ装置に設けられた光源装置の構成の一例を示す図である。
【図４】図３に示す発光部の構成の一例を示す図である。
【図５】図３に示す案内部の構成の一例を示す図である。
【図６】読み取り装置に設けられる制御・画像処理ユニットの構成の一例を説明するためのブロック図である。
【図７】実施の形態１の光源装置における光の挙動を説明するための図である。
【図８】実施の形態２で用いられる拡散部材の構成の一例を説明するための図である。
【図９】実施の形態２の光源装置における光の挙動を説明するための図である。
【図１０】実施の形態３で用いられる発光部の構成の一例を示す図である。
【図１１】実施の形態４で用いられる光源コントローラの構成の一例を説明するためのブロック図である。
【図１２】本実施の形態において光源ドライバから発光素子アレイを構成する各グループに出力される駆動信号の一例を示すタイミングチャートである。
【図１３】光源装置の他の構成例を説明するための図である。
【発明を実施するための形態】
【００１０】
以下、添付図面を参照して、本発明の実施の形態について詳細に説明する。
＜実施の形態１＞
図１は本実施の形態が適用される読み取り装置の全体構成の一例を示す図である。
この読み取り装置は、積載された原稿束から原稿を順次搬送する原稿送り装置１０と、スキャンによって原稿の第１面（表面）の画像を読み取るスキャナ装置４０とを備えている。
【００１１】
原稿送り装置１０は、複数枚の原稿Ｍからなる原稿束を積載する原稿収容部１１、この原稿収容部１１の下方に設けられ、読み取りが終了した原稿Ｍを積載する排紙収容部１２を備える。また、原稿送り装置１０は原稿収容部１１の原稿Ｍを取り出して搬送する取り出しロール１３を備える。さらに、取り出しロール１３の原稿搬送方向下流側には、原稿Ｍを１枚ずつに捌く捌き機構１４が設けられる。原稿Ｍが搬送される搬送路１５には、原稿搬送方向上流側から順に、プレレジロール１６、レジロール１７、プラテンロール１８、アウトロール１９、および排出ロール２０が設けられる。プレレジロール１６は、１枚ずつに捌かれた原稿Ｍを下流側のロールに向けて搬送すると共に原稿Ｍのループ形成を行う。レジロール１７は、回転し一旦停止した後にタイミングを合わせて回転を再開し、原稿読み取り部に対してレジストレーション調整を施しながら原稿Ｍを供給する。プラテンロール１８は、スキャナ装置４０にて読み込み中の原稿Ｍの搬送を補助する。また、プラテンロール１８は、スキャナ装置４０でのシェーディング補正用の白基準として用いられるようになっている。アウトロール１９は、スキャナ装置４０にて読み込まれた原稿Ｍをさらに下流に搬送する。そして、排出ロール２０は、読み込まれた原稿Ｍをさらに搬送すると共に排紙収容部１２に排出する。
また、原稿送り装置１０において、アウトロール１９と排出ロール２０との間には、搬送される原稿Ｍの第２面（裏面）の画像を読み取るＣＩＳ（Contact Image Sensor：密着イメージセンサ）３０が設けられている。
【００１２】
一方、スキャナ装置４０は、上述した原稿送り装置１０を開閉可能に支持すると共に、この原稿送り装置１０を装置フレーム４１によって支え、また、原稿送り装置１０によって搬送される原稿Ｍの第１面（表面）の画像読み取りを行う。このスキャナ装置４０は、筐体を形成する装置フレーム４１、画像を読み込むべき原稿Ｍが静止させた状態で置かれる第１プラテンガラス４２Ａ、プラテンロール１８の下方に設けられ、原稿送り装置１０によって搬送される原稿Ｍを読み取るための光の開口部を構成する第２プラテンガラス４２Ｂを備えている。
【００１３】
また、スキャナ装置４０は、第２プラテンガラス４２Ｂの下に静止し、あるいは第１プラテンガラス４２Ａの全体にわたってスキャンして画像を読み込むフルレートキャリッジ４３、フルレートキャリッジ４３から得られた光を結像部へ供給するハーフレートキャリッジ４５を備えている。ここで、フルレートキャリッジ４３は、原稿Ｍに光を照射する光源装置４４Ａおよび光源装置４４Ａからの光を原稿Ｍに向けて反射する光源ミラー４４Ｂと、原稿Ｍから得られた反射光を受光する第１ミラー４６Ａとを備えている。さらに、ハーフレートキャリッジ４５は、第１ミラー４６Ａから得られた光を結像部へ提供する第２ミラー４６Ｂおよび第３ミラー４６Ｃを有している。
【００１４】
さらにまた、スキャナ装置４０は、結像部の一例としての結像用レンズ４７および受光部の一例としてのＣＣＤ（Charge Coupled Device）イメージセンサ４８を備えている。これらのうち、結像用レンズ４７は、第３ミラー４６Ｃから得られた光学像を光学的に縮小する。また、ＣＣＤイメージセンサ４８は、結像用レンズ４７によって結像された光学像を光電変換する。つまり、スキャナ装置４０では、所謂縮小光学系を用いてＣＣＤイメージセンサ４８に像を結像させている。また、本実施の形態では、ＣＣＤイメージセンサ４８として、赤色用、緑色用および青色用の各ラインセンサを、副走査方向に並べて配置したものを用いている。これにより、ＣＣＤイメージセンサ４８を用いて、原稿Ｍに形成された画像をフルカラー画像として読み取るようになっている。
【００１５】
そして、スキャナ装置４０は、制御・画像処理ユニット４９をさらに備える。この制御・画像処理ユニット４９は、ＣＣＤイメージセンサ４８や上述したＣＩＳ３０から入力される原稿の表裏面の画像データに各種画像処理を施す。また、制御・画像処理ユニット４９は、読み取り装置の読み取り動作における各部の動作を制御する。
【００１６】
例えば第１プラテンガラス４２Ａに置かれた原稿Ｍの画像を読み取る固定読み取りモードでは、フルレートキャリッジ４３とハーフレートキャリッジ４５とが、２：１の割合で矢印方向に移動する。このとき、フルレートキャリッジ４３に設けられた光源装置４４Ａからの光が、原稿Ｍの被読み取り面（第１面）に照射される。そして、原稿Ｍからの反射光が第１ミラー４６Ａ、第２ミラー４６Ｂ、および第３ミラー４６Ｃの順に反射されて結像用レンズ４７に導かれる。結像用レンズ４７に導かれた光は、ＣＣＤイメージセンサ４８の受光面に結像される。ＣＣＤイメージセンサ４８を構成する各色用のセンサは１次元のセンサであり、１ライン分を同時に処理している。このライン方向（スキャンの主走査方向）と交差する方向（スキャンの副走査方向）にフルレートキャリッジ４３およびハーフレートキャリッジ４５を移動させ、原稿Ｍの次のラインを読み取る。これを原稿Ｍの全体に亘って実行することで、１ページの原稿読み取りを完了させる。
【００１７】
一方、原稿送り装置１０によって搬送される原稿Ｍの画像を読み取る搬送読み取りモードでは、副走査方向に搬送される原稿Ｍがこの第２プラテンガラス４２Ｂの上を通過する。このとき、フルレートキャリッジ４３およびハーフレートキャリッジ４５は、図１に示す実線の位置に停止した状態におかれる。そして、搬送されてくる原稿Ｍの１ライン目の反射光が、第１ミラー４６Ａ、第２ミラー４６Ｂ、および第３ミラー４６Ｃを経て結像用レンズ４７にて結像され、ＣＣＤイメージセンサ４８によって画像が読み込まれる。すなわち、ＣＣＤイメージセンサ４８によって主走査方向の１ライン分を同時に処理した後、原稿送り装置１０によって搬送される原稿Ｍの次の主走査方向の１ライン分が読み込まれる。そして、原稿Ｍの先端が第２プラテンガラス４２Ｂの読み取り位置に到達した後、この原稿Ｍの後端が第２プラテンガラス４２Ｂ上の読み取り位置を通過することによって、副走査方向に亘って１ページの原稿読み取りが完了する。
【００１８】
ここで、固定読み取りモードにおいては、フルレートキャリッジ４３およびハーフレートキャリッジ４５が走査部として機能している。一方、搬送読み取りモードでは、原稿送り装置１０が走査部として機能している。
【００１９】
なお、本実施の形態では、このようにフルレートキャリッジ４３とハーフレートキャリッジ４５とを停止させ、第２プラテンガラス４２Ｂを介してＣＣＤイメージセンサ４８により原稿Ｍの第１面の読み取りを行う原稿Ｍの搬送時に、ＣＩＳ３０によって、一括してこの原稿Ｍの第２面の読み取りを行うことが可能となっている。すなわち、ＣＣＤイメージセンサ４８とＣＩＳ３０とを用いて、搬送路１５への原稿Ｍの一度の搬送で、この原稿Ｍにおける表裏両面の画像を読み取ることを可能としている。
【００２０】
図２は上述したスキャナ装置４０における画像読み取り用の光路を説明するための図である。なお、図２に示す光路は、上述した固定読み取りモードおよび搬送読み取りモードにおいて共通である。
【００２１】
光源装置４４Ａから出射された光および光源装置４４Ａから出射され光源ミラー４４Ｂ（図示せず）で反射された光は、原稿Ｍの読み取り位置Ｒに照射される。ここで、固定読み取りモードでは、原稿Ｍが固定される一方でフルレートキャリッジ４３（およびハーフレートキャリッジ４５）が副走査方向に沿って移動していくことから、読み取り位置Ｒには、原稿Ｍの副走査方向位置の異なる部位が順次位置することになる。これに対し、搬送読み取りモードでは、フルレートキャリッジ４３（およびハーフレートキャリッジ４５）が固定される一方で、原稿Ｍ自体が副走査方向に沿って移動していくことから、読み取り位置Ｒには、原稿Ｍの副走査方向位置の異なる部位が順次位置することになる。そして、読み取り位置Ｒからの反射光は、第１ミラー４６Ａ〜第３ミラー４６Ｃを介して結像用レンズ４７に入射し、結像用レンズ４７から出射した後にＣＣＤイメージセンサ４８に入射する。
【００２２】
このとき、結像用レンズ４７では、レンズの特性上、レンズの中心部に比べて周縁部付近での光量が減衰することから、原稿Ｍの主走査方向の両端部に対応する部位における光量が、この原稿Ｍの主走査方向の中央部に対応する部位における光量よりも低下しやすい。このため、ＣＣＤイメージセンサ４８での受光結果においても、レンズでの減衰特性に応じて、原稿Ｍの主走査方向の両端部に対応する部位における光量が、この原稿Ｍの主走査方向の中央部に対応する部位における光量よりも低下しやすくなっている。
【００２３】
図３はスキャナ装置４０に設けられた光源装置４４Ａの構成の一例を示す図である。ここで、図３（ａ）は光源装置４４Ａの正面図であり、図３（ｂ）は光源装置４４Ａを光の出射面側からみた上面図であり、図３（ｃ）は光源装置４４Ａの側面図である。
線状光源装置の一例としての光源装置４４Ａは、光を発する発光部５０と、発光部５０から出射された光を読み取り位置Ｒ（図２参照）に向けて案内する案内部７０とを備えている。
なお、以下の説明では、副走査方向をＸ、主走査方向をＹと称する。また、発光部５０から案内部７０へと向かう方向すなわち副走査方向Ｘおよび主走査方向Ｙに直交する方向を光軸方向Ｚと称する。したがって、図３（ａ）、（ｂ）においては、図中横方向が主走査方向Ｙとなっており、図３（ｃ）においては、図中横方向が副走査方向Ｘとなっている。
【００２４】
そして、図４は図３に示す発光部５０の構成の一例を示す図であり、図５は図３に示す案内部７０の構成の一例を示す図である。ここで、図４（ａ）は発光部５０の正面図であり、図４（ｂ）は発光部５０の上面図である。また、図５（ａ）は案内部７０の正面図であり、図５（ｂ）は案内部７０を構成する拡散部材７２（詳細は後述する）の上面図である。なお、図４および図５においては、それぞれにおける図中横方向が主走査方向Ｙとなっている。
【００２５】
まず、発光部５０の構成について説明を行う。
発光部５０は、主走査方向Ｙに沿って延び、内部には配線が形成された基板５１と、この基板５１の一方の面に主走査方向Ｙに沿って並べて配置され、基板５１に形成された配線と電気的に接続され且つ固定される複数の発光素子５２とを備える。なお、以下の説明においては、一方向に並べて配置された発光素子５２を発光素子アレイ５３と呼ぶ。発光素子列の一例としての発光素子アレイ５３は、主として光軸方向Ｚに向かう光を出射するようになっている。そして、本実施の形態の発光素子アレイ５３は、４０個の発光素子５２によって構成されている。
【００２６】
また、本実施の形態では、発光素子アレイ５３を構成する４０個の発光素子５２が、主走査方向Ｙに等間隔に配置されている。したがって、この例では、発光素子アレイ５３のうち、主走査方向中央部において隣接する２個の発光素子５２の配置間隔である中央部間隔Ｄｃと、主走査方向両端部において隣接する２個の発光素子５２の配置間隔である端部間隔Ｄｅとが等しくなっている。
【００２７】
本実施の形態において、発光素子５２は、Ｒ（赤）、Ｇ（緑）およびＢ（青）の各色成分を含む光を出射する所謂白色ＬＥＤ（Light Emitting Diode）で構成されている。本実施の形態の白色ＬＥＤは、紫外光または青色を出射するＬＥＤと、ＬＥＤから出射される光を長波長の光に変換する蛍光体とを組み合わせることによって、ＲＧＢ成分を含む光を出力するようになっている。ただし、白色ＬＥＤとして、赤色光を発する赤色ＬＥＤ、緑色光を出射する緑色ＬＥＤおよび青色光を出射する青色ＬＥＤを組み合わせたものを用いてもよい。なお、ＣＣＤイメージセンサ４８がモノクロ用のセンサである場合には、発光素子５２が白色光を発する必要はなく、ＣＣＤイメージセンサ４８が感度を有する波長に対応した光を発するものを用いればよい。
【００２８】
また、本実施の形態では、発光素子アレイ５３を構成する４０個の発光素子５２が、主走査方向Ｙに連続する５個を１組として、８つのグループＧｒ．１〜Ｇｒ．８にグループ分けされている。ここで、各グループＧｒ．１〜Ｇｒ．８では、５個の発光素子５２が、基板５１に設けられた配線を介して直列あるいは並列に接続されている。また、各グループＧｒ．１〜Ｇｒ．８を構成する各発光素子５２は、基板５１の配線を介してグループを跨いで相互に接続されないようになっている。そして、基板５１には、各グループＧｒ．１〜Ｇｒ．８に対し、それぞれ独立して給電を行う電極（図示せず）が設けられている。したがって、本実施の形態では、各グループＧｒ．１〜Ｇｒ．８に対しそれぞれ独立して点灯／不点灯の制御が行えるとともに、各グループＧｒ．１〜Ｇｒ．８に供給する電流値についても独立して制御が行えるようになっている。
【００２９】
続いて、案内部７０の構成について説明を行う。
案内部７０は、主走査方向Ｙに沿って延び、発光部５０から出射された光を案内する導光部材７１と、主走査方向Ｙに沿って延び、この導光部材７１の光軸方向Ｚの端部で導光部材７１内を進む光を拡散させて外部に出力する拡散部材７２とを備える。
【００３０】
本実施の形態において、導光部材７１は、例えばアクリル樹脂など、発光部５０から出射される光に対する透光性を有する材料で構成されている。また、導光部材７１は、ＹＺ平面における断面が光軸方向Ｚに沿って拡開する逆台形状となっており、ＸＺ平面における断面が長方形状となっている。そして、導光部材７１には、主走査方向Ｙに沿って延びる矩形状の平坦面からなり、発光部５０からの光が入射する入射面７１ａと、主走査方向Ｙに沿って延びる矩形状の平坦面からなり、入射面７１ａを介して導光部材７１に入射した光を出射する出射面７１ｂとが形成されている。ここで、入射面７１ａおよび出射面７１ｂは対向して配置される。また、出射面７１ｂの主走査方向Ｙの長さは、入射面７１ａの主走査方向Ｙの長さよりも大きく設定される。さらに、導光部材７１には、主走査方向Ｙの両端部において、光軸方向Ｚに対し傾斜して形成される平坦な第１の側面７１ｃと、副走査方向Ｘの両端部において、光軸方向Ｚに沿って形成される平坦な第２の側面７１ｄとがさらに形成されている。ここで、入射面７１ａ、出射面７１ｂ、第１の側面７１ｃおよび第２の側面７１ｄは、それぞれ平滑な面で構成されている。なお、この例では、樹脂を用いて案内部材７１を構成しているが、例えば樹脂以外ではガラス等を用いるようにしてもよい。また、この例では、第１の側面７１ｃを平坦な面で形成しているが、例えば段差等が形成されていたりあるいは曲面で構成されていたりするものであってもよい。
【００３１】
また、拡散部材７２は、例えばガラス、アクリル、ポリカーボネートなど、発光部５０から導光部材７１を介して出射される光に対する透光性を有する材料で構成されている。そして、拡散部材７２は、フィルム状あるいは板状の形状を有しており、導光部材７１の出射面７１ｂから出射された光が入射する入射面７２ａと、入射面７２ａを介して拡散部材７２内に入射した光を出射する出射面７２ｂとを有している。ここで、入射面７２ａおよび出射面７２ｂは対向して配置される。そして、拡散部材７２の入射面７２ａが案内部材７１の出射面７１ｂに接着等によって固定されることにより、案内部７０が構成されている。なお、案内部材７１と拡散部材７２とを接着する場合においては、発光部５０から出射される光に対する透光性を有する接着剤を用いることが望ましい。
【００３２】
また、拡散部材７２の出射面７２ｂには、入射面７２ａを介して拡散部材７２内に入射した光を拡散・散乱させつつ出射するための凹凸加工が施されている。ここで、拡散部材７２の出射面７２ｂにおいて、主走査方向中央部における凹凸の山高さを中央部山高さＨｃとし、主走査方向両端部における凹凸の山高さを端部山高さＨｅとしたとき、本実施の形態では中央部山高さＨｃと端部山高さＨｅとが同じ程度に設定されている。また、拡散部材７２の出射面７２ｂで、主走査方向中央部において隣接する凸部同士の間隔を中央部凸部間隔Ｌｃとし、主走査方向両端部において隣接する凸部同士の間隔を端部凸部間隔Ｌｅとしたとき、本実施の形態では中央部凸部間隔Ｌｃと端部凸部間隔Ｌｅとが同じ程度に設定されている。
【００３３】
ここで、中央部凸部間隔Ｌｃおよび端部凸部間隔Ｌｅは、少なくとも発光素子アレイ５３における中央部間隔Ｄｃおよび端部間隔Ｄｅよりも小さい値に設定される。
なお、中央部山高さＨｃおよび端部山高さＨｅは、それぞれの領域に存在する複数の凹凸より平均値として求められる。また、中央部凸部間隔Ｌｃおよび端部凸部間隔Ｌｅも、それぞれの領域に存在する複数組の凸部より平均値として求められる。
【００３４】
さらに、光源装置４４Ａにおける発光部５０と案内部７０との相対的な関係について説明を行う。
まず、発光部５０は、発光素子アレイ５３を構成する発光素子５２の光の出射面が、光軸方向Ｚを向くように配置される。これに対し、案内部７０は、導光部材７１の入射面７１ａが発光部５０の発光素子アレイ５３と対向するように配置される。ここで、導光部材７１の副走査方向Ｘの長さ（厚さ）Ｔｇは、発光素子アレイ５３を構成する発光素子５２の副走査方向Ｘの長さ（幅）Ｔａよりも大きく設定されている。その結果、図３（ｂ）に示すように上方からみたときに、案内部７０の背面内側に発光素子アレイ５３が位置するようになっている。
【００３５】
また、案内部７０の導光部材７１の出射面７１ｂの主走査方向Ｙの長さである出射面幅Ｗｏは、導光部材７１の入射面７１ａの主走査方向Ｙの長さである入射面幅Ｗｉよりも大きくなっている。そして、出射面７１ｂの主走査方向両端は、入射面７１ａの主走査方向両端よりも外側に位置している。なお、本実施の形態では、拡散部材７２の入射面７２ａおよび出射面７２ｂの主走査方向Ｙの長さが出射面幅Ｗｏに設定されている。
【００３６】
さらに、発光部５０の発光素子アレイ５３の主走査方向Ｙの長さであるアレイ幅Ｗａは、上述した入射面幅Ｗｉよりも小さくなっている。そして、発光素子アレイ５３の主走査方向両端は、導光部材７１の入射面７１ａの主走査方向両端よりも内側に位置している。その結果、図３（ａ）に示すように正面からみたときに、案内部７０の導光部材７１の入射面７１ａの下方に発光素子アレイ５３が位置するようになっている。
【００３７】
なお、本実施の形態では、導光部材７１の入射面７１ａが案内部７０の入射面として、また、拡散部材７２の出射面７２ｂが案内部７０の出射面として、それぞれ機能している。
【００３８】
次に、光源装置４４Ａと読み取り位置Ｒ（図２参照）に存在する原稿Ｍとの相対的な関係について説明を行う。なお、以下では、図１に示す読み取り装置でスキャンが許容される最大サイズの原稿Ｍにおける主走査方向Ｙの長さを、最大原稿幅Ｗｍと呼ぶことにする。
【００３９】
本実施の形態において、案内部７０の出射面幅Ｗｏは、最大原稿幅Ｗｍよりも大きくなるように設定されている。また、案内部７０の入射面幅Ｗｉおよび発光部５０のアレイ幅Ｗａも、最大原稿幅Ｗｍよりも大きくなるように設定されている。そして、最大原稿幅Ｗｍの主走査方向両端は、発光素子アレイ５３の主走査方向両端よりも内側に位置するようになっている。なお、この例では、最大原稿幅Ｗｍの主走査方向両端よりも外側に、それぞれ１個ずつ発光素子５２が位置するようになっている。
【００４０】
次に、図１に示す制御・画像処理ユニット４９について説明する。
図６は、制御・画像処理ユニット４９の構成の一例を説明するためのブロック図である。この制御・画像処理ユニット４９は、センサ（ＣＣＤイメージセンサ４８およびＣＩＳ３０に設けられたセンサ）から入力される画像データに処理を施す信号処理部８０と、原稿送り装置１０およびスキャナ装置４０の動作を制御する制御部９０とを備えている。
【００４１】
信号処理部８０は、原稿Ｍの表面（第１面）を読み取るＣＣＤイメージセンサ４８からの入力信号に処理を施す第１画像処理回路８１と、原稿Ｍの裏面（第２面）を読み取るＣＩＳ３０からの入力信号に処理を施す第２画像処理回路８２とを備えている。ここで、第１画像処理回路８１および第２画像処理回路８２は、それぞれ、入力されてくるアナログ画像データにオフセット調整やゲイン調整を行うアナログ・フロント・エンド（ＡＦＥ）、アナログの画像データをデジタル画像データに変換するアナログ・デジタル・コンバータ（ＡＤＣ）、デジタル画像データにシェーディング補正を施すシェーディング補正部、プラテンロール１８を読み取った結果に基づいてシェーディング補正データを作成するシェーディング補正データ作成部等を備えている。そして、第１画像処理回路８１で処理が施されたデジタル画像データは第１面画像データとして、また、第２画像処理回路８２で処理が施されたデジタル画像データは第２面画像データとして、それぞれ外部に出力されるようになっている。
【００４２】
一方、制御部９０は、メインコントローラ９１、センサコントローラ９２、光源コントローラ９３、スキャンコントローラ９４、および搬送コントローラ９５を備える。これらのうち、メインコントローラ９１は、原稿送り装置１０およびスキャナ装置４０の全体を制御する。センサコントローラ９２はＣＣＤイメージセンサ４８およびＣＩＳ３０に設けられたセンサ（図示せず）による画像データの取り込み動作を制御する。光源コントローラ９３は、読み取りタイミングに合わせてスキャナ装置４０に設けられた光源装置４４ＡおよびＣＩＳ３０に設けられた光源（図示せず）の点灯・消灯を制御する。そして、光源コントローラ９３は、光源装置４４Ａの発光素子アレイ５３を構成する８つのグループＧｒ．１〜Ｇｒ．８に対し、それぞれ独立して供給電流の制御を行うようになっている。スキャンコントローラ９４は、スキャナ装置４０におけるモータのオン/オフなどを行い、フルレートキャリッジ４３およびハーフレートキャリッジ４５によるスキャン動作を制御する。搬送コントローラ９５は、原稿送り装置１０におけるモータの制御、各種ロールの動作やフィードクラッチの動作、ゲートの切り替え動作等を制御する。
【００４３】
これらの各種コントローラからは、原稿送り装置１０およびスキャナ装置４０に対して制御信号が出力され、かかる制御信号に基づいて、これらの動作制御が行われる。そして、メインコントローラ９１は、ホストシステムからの制御信号や、例えば自動選択読み取り機能に際して検出されるセンサ出力、ユーザインタフェース（ＵＩ）等を介してユーザからの選択等に基づいて、読み取りモードを設定し、原稿送り装置１０およびスキャナ装置４０を制御している。この読み取りモードとしては、上述した固定読み取りモードや搬送読み取りモードが挙げられる。
【００４４】
では、読み取り装置の読み取り動作における光源装置４４Ａの動作について、図３〜図７を参照しながら説明する。ここで、図７は光源装置４４Ａにおける光の挙動の説明するための図である。
【００４５】
読み取り動作の開始に伴い、制御部９０の光源コントローラ９３は、発光部５０の発光素子アレイ５３を構成する各グループＧｒ．１〜Ｇｒ．８に、それぞれにおいてアノードからカソードに向かう方向の電流（順方向電流）を供給する。このようにして順方向電流が供給されるのに伴い、発光素子アレイ５３を構成する各発光素子５２は白色光を出射する。なお、ここでは、各グループＧｒ．１〜Ｇｒ．８に対し、同じ大きさの順方向電流を連続的に供給しているものとし、その結果、各発光素子５２もそれぞれが同じ光量の白色光を出力しているものとする。
【００４６】
ここで、図７（ａ）は光源装置４４Ａの正面図を示しており、図７（ｂ）は各発光素子５２の配光特性を示している。
各発光素子５２は、光軸方向Ｚ側に向かって放射状に白色光を出射する。ただし、この中では、光軸方向Ｚに向かう白色光の強度が最も高くなっている。
このようにして各発光素子５２から出射された白色光は、案内部７０の導光部材７１に設けられた入射面７１ａ（図５参照）を介して導光部材７１内に入射する。なお、図７（ａ）においては、表示を簡略化するため、各発光素子５２からの光の進行方向を光軸方向Ｚに合わせているが、実際には、図７（ｂ）を用いて説明したように様々な角度で入射面７１ａから導光部材７１内に光が入射することになる。
【００４７】
このようにして導光部材７１に入射した白色光は、導光部材７１内を進行しつつ出射面７１ｂ側へと向かう。この間、一部の光は第１の側面７１ｃや第２の側面７１ｄに向かうこととなるが、このような光は、第１の側面７１ｃや第２の側面７１ｄに対する入射角と第１の側面７１ｃや第２の側面７１ｄと外層（ここでは空気）との屈折率の違いとによって界面で反射し、導光部材７１内に戻ってさらに内部を進行する。また、導光部材７１は、入射面７１ａ側よりも出射面７１ｂ側が主走査方向Ｙに拡がる構成を有していることから、導光部材７１内を進行する光も、入射面７１ａ側から出射面７１ｂ側に向かうにつれて主走査方向Ｙに拡がっていく。ここで、導光部材７１は白色光に対して透明な材料で構成されていることから、導光部材７１における白色光の減衰量は少なくて済み、また、特定の色成分の光のみが吸収されることによって生じる光の色味のずれも少なくて済む。
【００４８】
そして、導光部材７１の出射面７１ｂに到達した白色光は、出射面７１ｂを介して拡散部材７２の入射面７２ａに入射し、その後、出射面７２ｂを介して外部に出射される。このとき、出射面７２ｂには主走査方向全域にわたって凹凸が形成されていることから、出射面７２ｂに到達した白色光は、拡散・散乱させた状態で外部に出射される。そして、出射面７２ｂから出射された白色光は、原稿Ｍの読み取り位置Ｒ（図２参照）に向かう。
【００４９】
ここで、図７（ｃ）は、図７（ａ）に示す発光部５０の発光素子アレイ５３から出射される白色光の光量分布の一例を示している。
本実施の形態では、４０個の発光素子５２にて発光素子アレイ５３を構成しており、また、各発光素子５２が図７（ｂ）に示したような配光特性を有している。このため、発光素子アレイ５３の直上における光量分布は、主走査方向Ｙに対し波を打ったものとなる。このとき、各発光素子５２の直上となる部位が光量の極大点となるため、この例では４０個のピークが存在することになる。また、この例では、発光素子アレイ５３を構成する各発光素子５２に同じ大きさの順方向電流を供給しているため、４０個のピークの高さもほとんど変わらない。
【００５０】
次に、図７（ｄ）は、図７（ｃ）に示す光量分布を有する白色光が、入射面７１ａを介して案内部７０の導光部材７１の出射面７１ｂに到達したときの光量分布の一例を示している。
本実施の形態では、上述したように導光部材７１が逆台形状の断面を有している。このため、案内部材７１の出射面７１ｂにおける光量分布は、図７（ｃ）に示す発光素子アレイ５３の光量分布に対し主走査方向Ｙの両端側が拡がったものとなる。
【００５１】
さらに、図７（ｅ）は、図７（ｄ）に示す光量分布を有する白色光が、入射面７２ａを介して拡散部材７２に入射し、さらに出射面７２ｂから出射されたときの光量分布の一例を示している。
【００５２】
本実施の形態では、拡散部材７２の出射面７２ｂに全面にわたって凹凸を形成している。このため、拡散部材７２の入射面７２ａに図７（ｄ）に示す光量分布を有する白色光が入射してきた場合であっても、この白色光は出射面７２ｂ上の凹凸によって拡散・散乱される。したがって、拡散部材７２の直上における光量分布は、元の発光素子アレイ５３の構成に起因する波打ちすなわち光量むらが抑制され、主走査方向Ｙに沿って平坦に近づいた状態となる。
また、光量分布が平坦に近づいた領域の主走査方向Ｙの両端が最大原稿幅Ｗｍ（図３参照）の主走査方向Ｙの両端よりも外側に位置することから、原稿Ｍの主走査方向Ｙの両端側に照射される白色光の光量低下も抑制されることになる。
【００５３】
さて、本実施の形態では、スキャナ装置４０において、縮小光学系を用いて画像の読み取りを行っている。このため、読み取り位置Ｒに対し主走査方向Ｙに光量むらが抑制された状態で白色光を照射したとしても、図２を用いて説明したように、結像用レンズ４７に起因して、原稿Ｍの主走査方向Ｙの両端部に対応する部位における光量が、この原稿Ｍの主走査方向Ｙの中央部に対応する部位における光量よりも低下する懸念がある。
【００５４】
この対策として、例えば、発光部５０の発光素子アレイ５３を構成する各グループＧｒ．１〜Ｇｒ．８のうち、主走査方向Ｙの両端部に位置するグループＧｒ．１およびグループＧｒ８に供給する順方向電流値を、他のグループＧｒ．２〜Ｇｒ．７に供給する順方向電流値よりも大きくすることが挙げられる。
【００５５】
図７（ｆ）は、上述した手法を用いて供給電流値の制御を行った場合において、拡散部材７２の出射面７２ｂから出射される光量分布の一例を示している。
このように供給電流値の調整を行うことによって、グループＧｒ．１およびグループＧｒ．８をそれぞれ構成する発光素子５２が出射する光量は、他のグループＧｒ．２〜Ｇｒ．７をそれぞれ構成する発光素子５２が出射する光量よりも大きくなる。その結果、拡散部材７２の直上における光量分布は、元の発光素子アレイ５３の構成に起因する波打ちすなわち光量むらが抑制され、且つ、主走査方向Ｙの中央部に比べて両端部の光量が大きくなったものとなる。
【００５６】
すると、読み取り位置Ｒでは、主走査方向Ｙの中央部に比べて両端部側に照射される光量が増加する。このため、読み取り位置Ｒで反射した光が結像用レンズ４７を通過することに伴って主走査方向Ｙの中央部に比べて両端部の光量が減衰したとしても、結果として主走査方向Ｙの両端部における光量はこれらにより相殺される。したがって、例えば読み取り位置Ｒに白紙状態の原稿Ｍを配置した場合において、ＣＣＤイメージセンサ４８には、主走査方向Ｙの中央部および両端部において変動が抑制された光が入射することになる。
【００５７】
また、本実施の形態では、スキャナ装置４０を用いてプラテンロール１８の表面を読み取った結果に基づいて、第１画像処理回路８１においてシェーディング補正データを作成している。そして、実際の原稿Ｍの読み取りでは、ＣＣＤイメージセンサ４８による受光結果に対し、第１画像処理回路８１においてシェーディング補正データを用いたシェーディング補正を行っている。
【００５８】
ここで、縮小光学系を用いたスキャナ装置４０では、上述した理由により主走査方向Ｙの中央部よりも両端部の光量が低下しやすい。このため、シェーディング補正を行うことに伴って、主走査方向Ｙの中央部に比べて両端部のダイナミックレンジが狭くなりやすい。
【００５９】
これに対し、光源装置４４Ａから読み取り位置Ｒに照射される光量分布を上述したように設定すれば、主走査方向Ｙの中央部および両端部でのダイナミックレンジの幅の違いは抑制されることになる。
【００６０】
なお、実施の形態１では、光源装置４４Ａを構成する案内部７０において、入射面幅Ｗｉに対し出射面幅Ｗｏを大きく設定するようにしていたが、これに限られるものではない。
図１３は、光源装置４４Ａの他の構成例を示している。ここで、図１３（ａ）は光源装置４４Ａの正面図であり、図１３（ｂ）は光源装置４４Ａを光の出射面側からみた上面図であり、図１３（ｃ）は光源装置４４Ａの側面図である。
【００６１】
図１３に示したように、案内部７０を構成する導光部材７１を直方体状とすることで、案内部７０における入射面幅Ｗｉと出射面幅Ｗｏとを同じにしてもよい。図１３に示す構成を採用した場合には、図３に示す構成を採用した場合と比較して、主走査方向端部側における光量の低下が抑制されるため、発光素子アレイ５３の主走査方向両端部側の光量を、主走査方向中央部側の光量よりも増加させなくてもよい場合がある。ただし、図１３に示す構成を採用した場合において、発光素子アレイ５３の主走査方向両端部側の光量を、主走査方向中央部側の光量よりも増加させるようにしてもかまわない。
【００６２】
＜実施の形態２＞
本実施の形態の基本構成は、実施の形態１とほぼ同様であるが、案内部７０の拡散部材７２の出射面７２ｂに形成される凹凸の構造を、主走査方向Ｙの中央部と両端部とで異ならせるようにしたものである。なお、本実施の形態において、実施の形態１と同様のものについては、同じ符号を付してその詳細な説明を省略する。
【００６３】
図８は、本実施の形態で用いられる拡散部材７２の構成の一例を示す図である。ここで、図８（ａ）は拡散部材７２の一例を示す上面図であり、図８（ｂ）は拡散部材７２の他の一例を示す上面図である。
【００６４】
図８（ａ）に示す例において、拡散部材７２の出射面７２ｂには凹凸加工が施されている。ただし、図８（ａ）に示す例では、中央部山高さＨｃに比べて端部山高さＨｅが低く設定されている。なお、図８（ａ）に示す例では、中央部凸部間隔Ｌｃと端部凸部間隔Ｌｅとが同じ程度に設定されている。
【００６５】
一方、図８（ｂ）に示す例においても、拡散部材７２の出射面７２ｂには凹凸加工が施されている。そして、図８（ｂ）に示す例では、図８（ａ）に示す例と同じく、中央部山高さＨｃに比べて端部山高さＨｅが低く設定されている。そして、図８（ｂ）に示す例では、さらに、中央部凸部間隔Ｌｃに比べて端部凸部間隔Ｌｅが広く設定されている。
【００６６】
なお、図８（ａ）、（ｂ）に示すような山高さの調整は、主走査方向Ｘの中央部から両端部側に向かって連続的に変更するようにしてもよいし、段階的に変更するようにしてもよい。また、図８（ｂ）に示すような間隔の調整についても、主走査方向Ｘの中央部から両端部側に向かって連続的に変更するようにしてもよいし、段階的に変更するようにしてもよい。
【００６７】
図９は、実施の形態１で説明した発光部５０および上述した拡散部材７２を有する案内部７０を用いて構成した光源装置４４Ａにおける光の挙動を説明するための図である。なお、図９（ａ）〜（ｄ）については、実施の形態１で説明した図７（ａ）〜（ｄ）と同じであるので、その説明を省略する。
【００６８】
図９（ｅ）は、図９（ｄ）に示す光量分布を有する白色光が、入射面７２ａを介して拡散部材７２に入射し、さらに出射面７２ｂから出力されたときの光量分布の一例を示している。
【００６９】
本実施の形態では、拡散部材７２の出射面７２ｂに全面にわたって凹凸を形成している。このため、拡散部材７２の入射面７２ａに図７（ｄ）に示す光量分布を有する白色光が入射してきた場合であっても、この白色光は出射面７２ｂ上の凹凸によって拡散・散乱される。ここで、例えば図８（ａ）に示す構造を有する拡散部材７２を用いた場合には、中央部山高さＨｃが端部山高さＨｅよりも大きいことから、拡散部材７２の主走査方向Ｙの中央部を通過する光よりも、両端部を通過する光の方が拡散されにくくなっている。また、例えば図８（ｂ）に示す構造を有する拡散部材７２を用いた場合には、中央部山高さＨｃが端部山高さＨｅよりも大きく、且つ、中央部凸部間隔Ｌｃが端部凸部間隔Ｌｅよりも狭いことから、拡散部材７２の主走査方向Ｙの中央部を通過する光よりも、両端部を通過する光の方がさらに拡散されにくくなっている。すなわち、図８（ａ）および図８（ｂ）に示す構成を採用した場合、主走査方向Ｙの中央部に比べて、端部側でも光の指向性が高められていることになる。
【００７０】
その結果、拡散部材７２の直上における光量分布は、元の発光素子アレイ５３の構成に起因する波打ちすなわち光量むらが抑制され、且つ、主走査方向Ｙの中央部に比べて主走査方向の両端部の光量が大きくなったものとなる。すなわち、実施の形態１においてグループ毎に供給電流値を調整した場合と同様の結果が得られる。
【００７１】
＜実施の形態３＞
本実施の形態の基本構成は、実施の形態１とほぼ同様であるが、発光部５０の発光素子アレイ５３を構成する発光素子５２の配置間隔を、主走査方向Ｙの中央部と両端部とで異ならせるようにしたものである。なお、本実施の形態において、実施の形態１と同様のものについては、同じ符号を付してその詳細な説明を省略する。
【００７２】
図１０は、本実施の形態で用いられる発光部５０の構成の一例を示す図である。ここで、図１０（ａ）は発光部５０の正面図であり、図１０（ｂ）は発光部５０の上面図である。
【００７３】
本実施の形態では、発光素子アレイ５３が４４個の発光素子５２で構成されている。
そして、４４個の発光素子は、実施の形態１と同じく８つのグループＧｒ．１〜Ｇｒ．８にグループ分けされている。ただし、主走査方向Ｙの中央部側に位置するグループＧｒ．２〜Ｇｒ．７については、それぞれが５個の発光素子５２で構成されている一方、主走査方向Ｙの両端部側に位置するグループＧｒ．１およびＧｒ．８については、それぞれが７個の発光素子５２で構成されている。
【００７４】
また、この例では、発光素子アレイ５３のうち、主走査方向Ｙの中央部に位置するグループＧｒ．２〜Ｇｒ．７における中央部間隔Ｄｃに比べて、主走査方向Ｙの両端部に位置するグループＧｒ．１およびＧｒ．８における端部間隔Ｄｅが狭く設定されている。
【００７５】
そして、上述した発光部５０および実施の形態１で説明した案内部７０を用いて光源装置４４Ａを構成した場合において、発光素子アレイ５３を構成する各発光素子５２に同じ大きさの順方向電流を供給したとすると、グループＧｒ．１およびグループＧｒ．８をそれぞれ構成する発光素子５２が出射する光量は、他のグループＧｒ．２〜Ｇｒ．７をそれぞれ構成する発光素子５２が出射する光量よりも大きくなる。その結果、拡散部材７２の直上における光量分布は、元の発光素子アレイ５３の構成に起因する波打ちすなわち光量むらが抑制され、且つ、主走査方向Ｙの中央部に比べて主走査方向の両端部の光量が大きくなったものとなる。すなわち、図７（ｆ）に示したものと同等の光量分布が得られることになる。
【００７６】
＜実施の形態４＞
本実施の形態は、実施の形態１とほぼ同様であるが、実施の形態１では各グループＧｒ．１〜Ｇｒ．８に対する供給電流値の調整を行っていたのに対し、本実施の形態では各グループＧｒ．１〜Ｇｒ．８に対する供給電流値自体は同じ大きさとし、各グループＧｒ．１〜Ｇｒ．８に電流を供給する期間の調整を行うようにしたものである。したがって、本実施の形態では、各グループＧｒ．１〜Ｇｒ．８に対する電流の供給を、断続的に行うようにしている。なお、本実施の形態において、実施の形態１と同様のものについては、同じ符号を付してその詳細な説明を省略する。
【００７７】
図１１は、本実施の形態で用いられる光源コントローラ９３の構成の一例を説明するためのブロック図である。この光源コントローラ９３は、グループＧｒ．１を構成する５個の発光素子５２を駆動する第１ドライバ９３１と、グループＧｒ．２を構成する５個の発光素子５２を駆動する第２ドライバ９３２と、グループＧｒ．３を構成する５個の発光素子５２を駆動する第３ドライバ９３３と、グループＧｒ．４を構成する５個の発光素子５２を駆動する第４ドライバ９３４と、グループＧｒ．５を構成する５個の発光素子５２を駆動する第５ドライバ９３５と、グループＧｒ．６を構成する５個の発光素子５２を駆動する第６ドライバ９３６と、グループＧｒ．７を構成する５個の発光素子５２を駆動する第７ドライバ９３７と、グループＧｒ．８を構成する５個の発光素子５２を駆動する第８ドライバ９３８とを備えている。
【００７８】
図１２は、本実施の形態において光源コントローラ９３から発光素子アレイ５３を構成する各グループＧｒ．１〜Ｇｒ．８に出力される駆動信号の一例を示すタイミングチャートである。
【００７９】
本実施の形態では、光源コントローラ９３から各グループＧｒ．１〜Ｇｒ．８に対し、発光周期Ｐで駆動信号が供給される。なお、図１２において、「ＯＮ」は予め決められた大きさの電流が供給されている状態を、「ＯＦＦ」は電流の供給が停止されている状態を、それぞれ意味している。また、１つの発光周期Ｐにおいて、グループＧｒ．１に対する駆動信号がＯＮとなる期間を第１期間Ｐ１、グループＧｒ．２に対する駆動信号がＯＮとなる期間を第２期間Ｐ２、グループＧｒ．３に対する駆動信号がＯＮとなる期間を第３期間Ｐ３、グループＧｒ．４に対する駆動信号がＯＮとなる期間を第４期間Ｐ４、グループＧｒ．５に対する駆動信号がＯＮとなる期間を第５期間Ｐ５、グループＧｒ．６に対する駆動信号がＯＮとなる期間を第６期間Ｐ６、グループＧｒ．７に対する駆動信号がＯＮとなる期間を第７期間Ｐ７、グループＧｒ．８に対する駆動信号がＯＮとなる期間を第８期間Ｐ８、とそれぞれ呼ぶことにする。
【００８０】
ここで、本実施の形態では、第３期間Ｐ３、第４期間Ｐ４、第５期間Ｐ５および第６期間Ｐ６よりも、第２期間Ｐ２および第７期間Ｐ７の方が、より長時間に設定されている。また、第２期間Ｐ２および第７期間Ｐ７よりも、第１期間Ｐ１および第８期間Ｐ８の方が、より長時間に設定されている。なお、この例では、第３期間Ｐ３、第４期間Ｐ４、第５期間Ｐ５および第６期間Ｐ６が同じ長さに、また、第２期間Ｐ２および第７期間Ｐ７が同じ長さに、さらに、第１期間Ｐ１および第８期間Ｐ８が同じ長さに、それぞれ設定されている。
【００８１】
このような駆動信号を各グループＧｒ．１〜Ｇｒ．８に供給した場合、主走査方向両端に位置するグループＧｒ．１およびグループＧｒ．８のそれぞれの光量は、それぞれの内側に位置するグループＧｒ．２およびグループ７のそれぞれの光量よりも多くなる。また、グループＧｒ．２およびグループ７のそれぞれの光量は、これらの内側すなわち主走査方向中央側に位置するグループＧｒ．３〜Ｇｒ．６のそれぞれの光量よりも多くなる。
したがって、この構成を採用した場合においても、読み取り位置Ｒでは、主走査方向Ｙの中央部に比べて両端部側に照射される光量が増加することになる。
【００８２】
なお、実施の形態１〜４においては、案内部７０を導光部材７１と拡散部材７２とによって構成していたが、これに限られるものではなく、例えば導光部材７１の出射面７１ｂに直接凹凸を形成することによって構成してもかまわない。
【００８３】
また、実施の形態１〜４では、発光素子５２として白色ＬＥＤを用いていたが、これに限られるものではなく、例えば有機ＥＬ（Electro-Luminescence）素子等を用いるようにしてもよい。
【００８４】
さらに、実施の形態１〜４では、基板５１上に発光素子５２を主走査方向Ｙに一列に並べることによって発光素子アレイ５３を構成していたが、これに限られるものではなく、例えば千鳥状に配列するものであってもかまわない。
【符号の説明】
【００８５】
１０…原稿送り装置、３０…ＣＩＳ(Contact Image Sensor)、４０…スキャナ装置、４３…フルレートキャリッジ、４４Ａ…光源装置、４４Ｂ…光源ミラー、４５…ハーフレートキャリッジ、４７…結像用レンズ、４８…ＣＣＤイメージセンサ、４９…制御・画像処理ユニット、５０…発光部、５１…基板、５２…発光素子、５３…発光素子アレイ、７０…案内部、７１…導光部材、７１ａ…入射面、７１ｂ…出射面、７２…拡散部材、７２ａ…入射面、７２ｂ…出射面、８０…信号処理部、８１…第１画像処理回路、８２…第２画像処理回路、９０…制御部、９１…メインコントローラ、９２…センサコントローラ、９３…光源コントローラ、９４…スキャンコントローラ、９５…搬送コントローラ
【図１】
0005471108.tif 000002
【図２】
0005471108.tif 000003
【図３】
0005471108.tif 000004
【図４】
0005471108.tif 000005
【図５】
0005471108.tif 000006
【図６】
0005471108.tif 000007
【図７】
0005471108.tif 000008
【図８】
0005471108.tif 000009
【図９】
0005471108.tif 000010
【図１０】
0005471108.tif 000011
【図１１】
0005471108.tif 000012
【図１２】
0005471108.tif 000013
【図１３】
0005471108.tif 000014